【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
電気光学素子がフレーム期間を通じて表示すべき階調を規定する階調データに対応する期間の間、前記電気光学素子をオン状態にすることにより、前記電気光学素子に前記階調を表示させる電気光学素子の駆動方法であって、
１フレームを複数のサブフィールド期間に分割し、
前記階調データに対応し相互に連続した複数のサブフィールド期間を有する第１のサブフィールド群と、当該第１のサブフィールド群の前又は後に位置し、当該第１のサブフィールド群の合計期間の長さに実質的に相当するかまたは前記合計期間の長さ以上の長さに相当するサブフィールド期間を複数有する第２のサブフィールド群とを有し、前記第１のサブフィールド群及び前記第２のサブフィールド群の境界から最も離れて位置する前記第１のサブフィールド群の内の１つ及び前記第２のサブフィールド群の内の１つの方向に前記階調データに従って順次サブフィールド期間を選択する選択ステップと、
選択された前記サブフィールド期間の間、前記電気光学素子をオン状態にする駆動ステップと
を含むことを特徴とする電気光学素子の駆動方法。
【請求項２】
前記第１のサブフィールド群及び前記第２のサブフィールド群は、同一のフレーム期間に含まれる
ことを特徴とする請求項１記載の電気光学素子の駆動方法。
【請求項３】
前記第１のサブフィールド群及び前記第２のサブフィールド群の一部のサブフィールド期間は、連続する２つのフレーム期間のうちの一方のフレーム期間に含まれ、他部のサブフィールド期間は、他方のフレーム期間に含まれる
ことを特徴とする請求項１記載の電気光学素子の駆動方法。
【請求項４】
前記一部のサブフィールド期間は、前記第１のサブフィールド群及び前記第２のサブフィールド群のうちの一方のサブフィールド期間であり、前記他部のサブフィールド期間は、他方のサブフィールド期間である
ことを特徴とする請求項３記載の電気光学素子の駆動方法。
【請求項５】
前記駆動ステップは、前記階調データに拘わらず、前記電気光学素子をオン状態にする期間を前記境界に挿入する
ことを特徴とする請求項１記載の電気光学素子の駆動方法。
【請求項６】
前記駆動ステップは、前記階調データが零を表すとき、前記電気光学素子をオフにし、それ以外のとき、前記電気光学素子をオン状態にする期間を前記境界に挿入する
ことを特徴とする請求項１記載の電気光学素子の駆動方法。
【請求項７】
前記選択ステップで第２のサブフィールド群を選択したとき、
前記駆動ステップで、選択された前記第２のサブフィールド群のうち少なくとも一つの第２のサブフィールド群を複数の分割期間に分割してオン状態にする
ことを特徴とする請求項１記載の電気光学素子の駆動方法。
【請求項８】
前記駆動ステップで、選択された前記第２のサブフィールド群のうち、前記境界に近い位置にある第２のサブフィールド群を優先的に分割してオン状態にする
ことを特徴とする請求項７記載の電気光学素子の駆動方法。
【請求項９】
前記選択ステップで２以上の第２のサブフィールド群を選択したとき、
前記駆動ステップで、選択された前記２以上の第２のサブフィールド群であって相互に隣接する第２のサブフィールド群のうち前記境界に遠い第２のサブフィールド群を、前記境界に近い第２のサブフィールド群の分割数と同数または以下に分割してオン状態にする
ことを特徴とする請求項８記載の電気光学素子の駆動方法。
【請求項１０】
前記駆動ステップで、選択された前記第２のサブフィールド群の全てを分割してオン状態にする
ことを特徴とする請求項７記載の電気光学素子の駆動方法。
【請求項１１】
前記駆動ステップで、前記複数の分割期間のうち少なくとも一つの分割期間は、一の第１のサブフィールド群に相当する
ことを特徴とする請求項７記載の電気光学素子の駆動方法。
【請求項１２】
上記階調データは、２のＮ乗の種類を有する前記階調を規定するためのＮ個のビット（Ｎは、２以上の整数）からなり、
前記Ｎ個のビットのうちの上位側Ｍ個のビットは、前記複数の第２のサブフィールド群が表示すべき階調を規定し、
前記Ｎ個のビットのうちの下位側（Ｎ−Ｍ）個のビットは、前記複数の第１のサブフィールド群が表示すべき階調を規定し、
前記Ｍは、前記フレーム期間が（２N-M−１）個の第１のサブフィールド群を含むことを想定したときに与えられるＭの最適解である
ことを特徴とする請求項１記載の電気光学素子の駆動方法。
【請求項１３】
上記階調データは、２のＮ乗の種類を有する前記階調を規定するためのＮ個のビット（Ｎは、２以上の整数）からなり、
前記各第２のサブフィールド群の長さは、前記Ｎ個のビットに含まれる上位側Ｍ個のビットのうちの最下位ビットが規定する階調を表すための期間の長さに相当し、
前記複数の第２のサブフィールド群の個数は、前記Ｍ個のビットにより表される最大の数に相当し、
前記各第１のサブフィールド群の長さは、前記Ｎ個のビットに含まれる下位側（Ｎ−Ｍ）個のビットのうちの最下位ビットが規定する階調を表すための期間の長さに相当し、
前記複数の第１のサブフィールド群の個数は、前記（Ｎ−Ｍ）個のビットにより表される最大の数に相当する
ことを特徴とする請求項１記載の電気光学素子の駆動方法。
【請求項１４】
フレーム期間を単位として電気光学素子に階調を表示させる電気光学素子の駆動方法であって、
前記フレーム期間内に存在する基準点に対し時間的に前方または後方のいずれかの一方の側にて互いに隣接し、前記電気光学素子をオン状態またはオフ状態させるための２以上の第１のサブフィールド群を、前記階調を規定するデータのうち下位ビットで示される値にしたがって前記基準点から前記一方の側に向かって順番に選択するとともに、
前記基準点に対し時間的に前方または後方のいずれか他方の側に、存在するまたは互いに隣接するとともに、前記電気光学素子をオン状態またはオフ状態させるための１以上の第２のサブフィールド群であって、一の期間が前記複数の第１のサブフィールド群の合計期間以上長く設定された第２のサブフィールド群を、前記データのうち前記下位ビットを除いた上位ビットで示される値にしたがって前記基準点から前記他方の側に向かって順番に選択する選択ステップと、
選択された第１および第２のサブフィールド期間の間、前記電気光学素子を継続的にオン状態（またはオフ状態）にする駆動ステップと
を含むことを特徴とする電気光学素子の駆動方法。
【請求項１５】
前記選択ステップで第２のサブフィールド群を選択したとき、
前記駆動ステップで、選択された前記第２のサブフィールド群のうち少なくとも一つの第２のサブフィールド群を複数の分割期間に分割してオン状態にする
ことを特徴とする請求項１４記載の電気光学素子の駆動方法。
【請求項１６】
前記駆動ステップで、選択された前記第２のサブフィールド群のうち、前記境界に近い位置にある第２のサブフィールド群を優先的に分割してオン状態にする
ことを特徴とする請求項１５記載の電気光学素子の駆動方法。
【請求項１７】
前記選択ステップで２以上の第２のサブフィールド群を選択したとき、
前記駆動ステップで、選択された前記２以上の第２のサブフィールド群であって相互に隣接する第２のサブフィールド群のうち前記境界に遠い第２のサブフィールド群を、前記境界に近い第２のサブフィールド群の分割数と同数または以下に分割してオン状態にする
ことを特徴とする請求項１６記載の電気光学素子の駆動方法。
【請求項１８】
前記駆動ステップで、選択された前記第２のサブフィールド群の全てを分割してオン状態にする
ことを特徴とする請求項１４記載の電気光学素子の駆動方法。
【請求項１９】
前記駆動ステップで、前記複数の分割期間のうち少なくとも一つの分割期間は、一の第１のサブフィールド群に相当する
ことを特徴とする請求項１４記載の電気光学素子の駆動方法。
【請求項２０】
電気光学素子がフレーム期間を通じて表示すべき階調を規定する階調データに対応する期間の間、前記電気光学素子をオン状態にすることにより、前記電気光学素子に前記階調を表示させる電気光学素子の駆動装置であって、
１フレームを複数のサブフィールド期間に分割し、
前記階調データに対応し相互に連続した複数のサブフィールド期間を有する第１のサブフィールド群と、
当該第１のサブフィールド群の前または後に位置し、当該第１のサブフィールド期間の合計期間の長さに実質的に相当するかまたは前記合計時間の長さ以上の長さに相当するサブフィールド期間を複数有する第２のサブフィールド群とを有し、前記第１のサブフィールド期間及び前記第２のサブフィールド期間の境界から最も離れて位置する第１のサブフィールド群及び第２のサブフィールド群の方向に前記階調データに従って順次サブフィールド期間を選択する選択回路と、
選択された前記サブフィールド期間の間、前記電気光学素子をオン状態にする駆動回路と
を含むことを特徴とする電気光学素子の駆動装置。
【請求項２１】
フレーム期間を単位として電気光学素子に階調を表示させる電気光学素子の駆動装置であって、
前記フレーム期間内に存在する基準点に対し時間的に前方または後方のいずれかの一方の側にて互いに隣接し、前記電気光学素子をオン状態またはオフ状態させるための２以上の第１のサブフィールド群を、前記階調を規定するデータのうち下位ビットで示される値にしたがって前記基準点から前記一方の側に向かって順番に選択するとともに、
前記基準点に対し時間的に前方または後方のいずれか他方の側に、存在するまたは互いに隣接するとともに、前記電気光学素子をオン状態またはオフ状態させるための１以上の第２のサブフィールド群であって、一の期間が前記複数の第１のサブフィールド群の合計期間以上長く設定された第２のサブフィールド群を、前記データのうち前記下位ビットを除いた上位ビットで示される値にしたがって前記基準点から前記他方の側に向かって順番に選択する選択回路と、
選択された第１および第２のサブフィールド群の間、前記電気光学素子を継続的にオン状態（またはオフ状態）にする駆動回路と
を含むことを特徴とする電気光学素子の駆動装置。
【請求項２２】
マトリクス状に配置された複数の電気光学素子を含み、電子機器に関連する画像を表示するための表示装置と、
請求項２０記載の電気光学素子の駆動装置と
を備えることを特徴とする電子機器。
【請求項２３】
マトリクス状に配置された複数の電気光学素子を含み、電子機器に関連する画像を表示するための表示装置と、
請求項２１記載の電気光学素子の駆動装置と
を備えることを特徴とする電子機器。
【手続補正２】
【補正対象書類名】明細書
【補正対象項目名】０００７
【補正方法】変更
【補正の内容】
【０００７】
【課題を解決するための手段】
本発明に係る電気光学素子の駆動方法は、電気光学素子がフレーム期間を通じて表示すべき階調を規定する階調データに対応する期間の間、前記電気光学素子をオン状態にすることにより、前記電気光学素子に前記階調を表示させる電気光学素子の駆動方法であって、１フレームを複数のサブフィールド期間に分割し、前記階調データに対応し相互に連続した複数のサブフィールド期間を有する第１のサブフィールド群と、当該第１のサブフィールド群の前又は後に位置し、当該第１のサブフィールド群の合計期間の長さに実質的に相当するかまたは前記合計期間の長さ以上の長さに相当するサブフィールド期間を複数有する第２のサブフィールド群とを有し、前記第１のサブフィールド群及び前記第２のサブフィールド群の境界から最も離れて位置する前記第１のサブフィールド群の内の１つ及び前記第２のサブフィールド群の内の１つの方向に前記階調データに従って順次サブフィールド期間を選択する選択ステップと、選択された前記サブフィールド期間の間、前記電気光学素子をオン状態にする駆動ステップとを含むことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
また、本発明に係る電気光学素子の駆動装置は、電気光学素子がフレーム期間を通じて表示すべき階調を規定する階調データに対応する期間の間、前記電気光学素子をオン状態にすることにより、前記電気光学素子に前記階調を表示させる電気光学素子の駆動装置であって、１フレームを複数のサブフィールド期間に分割し、前記階調データに対応し相互に連続した複数のサブフィールド期間を有する第１のサブフィールド群と、当該第１のサブフィールド群の前または後に位置し、当該第１のサブフィールド期間の合計期間の長さに実質的に相当するかまたは前記合計時間の長さ以上の長さに相当するサブフィールド期間を複数有する第２のサブフィールド群とを有し、前記第１のサブフィールド期間及び前記第２のサブフィールド期間の境界から最も離れて位置する第１のサブフィールド群及び第２のサブフィールド群の方向に前記階調データに従って順次サブフィールド期間を選択する選択回路と、選択された前記サブフィールド期間の間、前記電気光学素子をオン状態にする駆動回路とを含むことを特徴とする。